(57)【特許請求の範囲】
【請求項１】
内径の大きさが異なる二つの鉗子チャンネルが設けられると共に、上記各鉗子チャンネルを選択的に吸引装置に接続させるための切り換え操作部材が設けられた内視鏡において、
上記内径の大きさが異なる二つの鉗子チャンネルに対応して大きさの異なる大小二種類の円形の指標を設け、
上記二つの鉗子チャンネルのうち内径の大きな鉗子チャンネルの入口近傍には上記大小二種類の円形の指標のうち大きな方の指標のみを設けて、内径の小さな鉗子チャンネルの入口近傍には小さな方の指標のみを設けると共に、上記二つの鉗子チャンネルの入口の中間部分には上記大小二種類の円形の指標を並べて設けて、
上記切り換え操作部材が上記内径の大きな鉗子チャンネルの入口近傍に設けられた大きな円形の指標の方に向けられた状態では上記内径の大きな鉗子チャンネルのみが上記吸引装置に接続され、上記切り換え操作部材が上記内径の小さな鉗子チャンネルの入口近傍に設けられた小さな円形の指標の方に向けられた状態では上記内径の小さな鉗子チャンネルのみが上記吸引装置に接続され、上記切り換え操作部材が上記二つの鉗子チャンネルの入口の中間部分の上記大小二つの円形の指標が並んで設けられた方に向けられた状態では上記二つの鉗子チャンネルが共に上記吸引装置に接続された状態になるようにしたことを特徴とする内視鏡。
【発明の詳細な説明】
【０００１】
【発明の属する技術分野】
この発明は、複数の鉗子チャンネルが設けられた内視鏡に関する。
【０００２】
【従来の技術】
一つの内視鏡に処置具類を挿通するための鉗子チャンネルが複数設けられる場合、鉗子チャンネルの太さ（内径）が同じであれば問題ないが、太さが異なる場合には、挿通する処置具を間違えて処置具を破損させるおそれが生じる。
【０００３】
そこで従来は、太さが異なる複数の鉗子チャンネルの各入口の近傍に、色が相違する指標を設け、その指標の色によって鉗子チャンネルの大小を判別するようにしていた。
【０００４】
【発明が解決しようとする課題】
しかし、一般に内視鏡検査室内は薄暗いので、指標の色の判別を行うのが困難な場合がある。また、その機器に慣れていない場合には、どの色がどの太さの鉗子チャンネルを意味するのか判らなくなってしまう場合もある。そのため、術者がいらいらしたり、鉗子チャンネルに対する処置具の選択を間違えて、処置具を破損させてしまうことがあった。
【０００５】
そこで本発明は、複数設けられた鉗子チャンネルの太さを誰でもが容易かつ的確に判別することができる内視鏡を提供することを目的とする。
【０００６】
【課題を解決するための手段】
上記の目的を達成するため、本発明の内視鏡は、内径の大きさが異なる複数の鉗子チャンネルが設けられた内視鏡において、上記複数の鉗子チャンネルの入口近傍に、各鉗子チャンネルの内径の大小に対応して大きさの異なる指標を設けたことを特徴とする。なお、上記指標の色があい異なっていてもよい。
【０００７】
また、本発明の内視鏡は、内径寸法が異なる複数の鉗子チャンネルが設けられた内視鏡において、上記複数の鉗子チャンネルの入口近傍に、各々の鉗子チャンネルの内径寸法を表示する数字で形成された指標を設けたことを特徴とする。
【０００８】
また、本発明の内視鏡は、内径寸法が異なる複数の鉗子チャンネルが設けられた内視鏡において、上記複数の鉗子チャンネルの入口近傍に、各々の鉗子チャンネルの内径寸法の大小を表示する記号で形成された指標を設けたことを特徴とする。
【０００９】
なお、上記各鉗子チャンネルを選択的に吸引装置に接続させるための切り換え操作部材が設けられていて、上記指標が、上記切り換え操作部材による切り換え状態を示すための指標を兼ねていてもよい。
【００１０】
【発明の実施の形態】
図面を参照して本発明の実施の形態を説明する。
図４において、内視鏡の操作部１のグリップ部２の上方前部には、吸引操作弁３と送気送水操作弁４とが並んで配置され、右側面部には湾曲操作ノブ５が配置されている。
【００１１】
８は可撓性のある挿入部であり、内径の大きい鉗子チャンネル１１と内径の小さい鉗子チャンネル１２の二本の鉗子チャンネルが、図示されていない先端部まで挿通配置されている。
【００１２】
挿入部８と操作部１との連結部７には、鉗子等の処置具を挿入するための二つの鉗子挿入口９，１０が、接近して並んで少し前傾して突出形成されていて、２本の鉗子チャンネル１１，１２に連通接続されている。９ａ及び１０ａは、鉗子挿入口９，１０に取り付けられたゴム製の鉗子栓である。
【００１３】
１３は、２本の鉗子チャンネル１１，１２のいずれか一方又は両方を、図示されていない吸引装置に選択的に連通させるための吸引管路切換機構であり、鉗子挿入口９，１０部の直下に一体的に設けられている。その前側の表面には、吸引管路切換機構１３の切換操作を行うための操作つまみ１４が、回転自在に取り付けられている。
【００１４】
図５は、吸引管路切換機構１３内の構造を示しており、操作つまみ１４に連結された切換弁２１が、台座２２内に回転自在に嵌装されていて、その中心軸部は、吸引操作弁３に連通する吸引連通孔２３になっている。
【００１５】
台座２２には、各鉗子挿入口９，１０と鉗子チャンネル１１，１２とを真っ直ぐに連通接続する鉗子挿通路２５，２６が形成されており、切換弁２１と各鉗子挿通路２５，２６との間に連通路２８，２９が形成されている。
【００１６】
その結果、操作つまみ１４で切換弁２１を回転させることによって、吸引連通孔２３と鉗子挿通路２５，２６との間の連通状態（即ち、吸引操作弁３と鉗子チャンネル１１，１２との間の連通状態）を切り換えることができる。
【００１７】
切換弁２１は、扇形に対称に２カ所が切り欠かれており、図５に示される状態では、二つの鉗子チャンネル１１，１２が共に吸引操作弁３に連通している。そして切換弁２１を回転させれば、いずれか一方の鉗子チャンネル１１，１２だけを吸引操作弁３に連通させることができる。
【００１８】
図４に戻って、近接して配置された鉗子挿入口９，１０と操作つまみ１４との間の外装カバーの表面には、二つの鉗子挿入口９，１０が連通する鉗子チャンネル１１，１２の内径の大小を表示する指標３０が、外側から見えるように配置されている。
【００１９】
図１は、その部分だけを拡大して示しており、内径の大きな鉗子チャンネル１１に通じる鉗子挿入口９側には径の大きな円形の指標３０ａが印され、内径の小さな鉗子チャンネル１２に通じる鉗子挿入口１２側には径の小さな円形の指標３０ｂが印されている。
【００２０】
したがって、鉗子挿入口９，１０に処置具を挿入する場合に、指標３０を一目見れば、二つの鉗子挿入口９，１０のどちらが内径の大きな鉗子チャンネル１１に連通し、どちらが内径の小さな鉗子チャンネル１２に連通しているのかを、即座に間違いなく判別することができる。
【００２１】
この指標３０は、両鉗子挿入口９，１０の中間の位置に大小の指標３０ａ，３０ｂが一つずつ並んで配置され、そこから両側に離れた位置に、大小の各指標３０ａ，３０ｂが配置されている。
【００２２】
その結果、図１に示されるように、操作つまみ１４が中央の大小二つの指標３０ａ，３０ｂの方に向いているときは、大小二つの鉗子チャンネル１１，１２が吸引操作弁３に連通し、両鉗子チャンネル１１，１２を通じて同時に吸引を行うことができる。
【００２３】
そして、図２に示されるように、操作つまみ１４が左端の大きな指標３０ａの方に向いているときは、内径の大きい鉗子チャンネル１１が吸引操作弁３に連通し、その鉗子チャンネル１１を通じて吸引を行うことができる。
【００２４】
また、図３に示されるように、操作つまみ１４が右端の小さな指標３０ｂの方に向いているときは、内径の小さな鉗子チャンネル１２が吸引操作弁３に連通し、その鉗子チャンネル１２を通じて吸引を行うことができる。
【００２５】
図６、図７及び図８は、本発明の第２の実施の形態を示しており、第１の実施の形態と同様の指標３０を、大きい指標３０ａと小さい指標３０ｂとで色を異ならせたものである。このようにすると、大きい指標３０ａと小さい指標３０ｂの相違を、より明確に判別することができる。
【００２６】
図９、図１０及び図１１は、本発明の第３の実施の形態を示しており、指標３０として、鉗子チャンネルの内径寸法そのものを示す数字を第１の実施の形態の指標と同じ位置に配置したものである。
【００２７】
この実施の形態では、二本の鉗子チャンネル１１，１２の内径寸法が４ｍｍと３ｍｍなので、それを「４」と「３」の数字で示してある。鉗子チャンネル１１，１２の内径寸法が例えば３．８ｍｍと２．８ｍｍの場合には、「３．８」と「２．８」の数字で表示すればよい。
【００２８】
図１２、図１３及び図１４は、本発明の第４の実施の形態を示しており、指標３０として、内径の大きな鉗子チャンネル１１側には「Ｌａｒｇｅ」の意味としての「Ｌ」の記号を、そして内径の小さな鉗子チャンネル１１側には「Ｓｍａｌｌ」の意味としての「Ｓ」の記号を、第１の実施の形態の指標と同じ位置に配置したものである。
【００２９】
このように、指標３０として、意味が明瞭な数字や記号等を用いても、指標３０を一目見れば、鉗子チャンネル１１，１２の太さを一目で間違いなく判別することができる。
【００３０】
なお、本発明は上記実施の形態に限定されるものではなく、例えば鉗子チャンネルが３本以上設けられた内視鏡に適用することもできる。
【００３１】
【発明の効果】
本発明によれば、複数設けられた各鉗子チャンネルの内径の大小に対応して大きさの異なる指標を設け、又は各々の鉗子チャンネルの内径寸法を表示する数字で形成された指標を設け、或いは鉗子チャンネルの内径寸法の大小を表示する記号で形成された指標を設けたことにより、複数設けられた鉗子チャンネルの太さを誰でもが容易かつ的確に判別することができるので、内視鏡検査を行う術者がいらいらすることなく落ちついて検査を行うことができ、また処置具の誤挿入による破損等を未然に防ぐことができる。
【図面の簡単な説明】
【図１】本発明の第１の実施の形態の指標部分の外観図である。
【図２】本発明の第１の実施の形態の指標部分の外観図である。
【図３】本発明の第１の実施の形態の指標部分の外観図である。
【図４】本発明の第１の実施の形態の内視鏡の操作部付近の外観図である。
【図５】本発明の第１の実施の形態の吸引管路切換機構部分の断面図である。
【図６】本発明の第２の実施の形態の指標部分の外観図である。
【図７】本発明の第２の実施の形態の指標部分の外観図である。
【図８】本発明の第２の実施の形態の指標部分の外観図である。
【図９】本発明の第３の実施の形態の指標部分の外観図である。
【図１０】本発明の第３の実施の形態の指標部分の外観図である。
【図１１】本発明の第３の実施の形態の指標部分の外観図である。
【図１２】本発明の第４の実施の形態の指標部分の外観図である。
【図１３】本発明の第４の実施の形態の指標部分の外観図である。
【図１４】本発明の第４の実施の形態の指標部分の外観図である。
【符号の説明】
９，１０  鉗子挿入口
１１，１２  鉗子チャンネル
２１  切換弁
２３  吸引連通孔
３０  指標
１４  操作つまみ
【図１】
0003758770.tif 000002
【図２】
0003758770.tif 000003
【図３】
0003758770.tif 000004
【図４】
0003758770.tif 000005
【図５】
0003758770.tif 000006
【図６】
0003758770.tif 000007
【図７】
0003758770.tif 000008
【図８】
0003758770.tif 000009
【図９】
0003758770.tif 000010
【図１０】
0003758770.tif 000011
【図１１】
0003758770.tif 000012
【図１２】
0003758770.tif 000013
【図１３】
0003758770.tif 000014
【図１４】
0003758770.tif 000015